(57)【要約】      （修正有）【課題】多量の氷が出来、漢字・熟語・四文字熟語・平仮名・片仮名・アルファベット等、幼児から大人まで楽しむ事が出来る文字製氷器を提供する。【解決手段】製氷器に溝あるいは凹凸を付け、それが漢字・熟語・四文字熟語・平仮名・片仮名・アルファベットとなり、蓋には製氷器と同様振り仮名が付いていて、製氷器を冷凍庫に重ねて置け、漢字のほかアルファベットなどで、パズルや勉学に励める。【選択図】図２
0003153461.tif 000002
【実用新案登録請求の範囲】
【請求項１】
製氷器本体に溝あるは凹凸を付け、それが文字となり蓋にも溝あるいは凹凸を付けそれが読み方となり、冷凍庫の高さが許す限り重ねて置ける蓋付き文字製氷器。
【請求項２】
本校案の蓋付き文字製氷器には、起死回生・一言半句・あいウエ・ＧＲＡＹとなっているが、二文字熟語なら八組できるが、四文字熟語なら四組出来るが他の漢字でも可能であり、平仮名の下には片仮名そしてアルファーベットの下には、読み方を特徴とする請求項１の記載とする、蓋付き文字製氷器。
【考案の詳細な説明】
【技術分野】
【０００１】  本考案は、製氷器に蓋を付け、出来上がった氷のだいたい三分の二が漢字、残りの三分の一が立方体でそれプラス、蓋の部分に振り仮名で、氷りの状態として出てくる。それと同様に四文字熟語・漢字・二文字熟語・片仮名・平仮名・アルファーベットで氷りが出てくる、製氷器に関する物である。
【背景技術】
【０００２】  今まで、業務用又は家庭用の氷は立方体あるいは、まれに異形又は球そしてコップ形であつた、しかし家庭用は立方体であり、いかに早く氷りを作るかであった、しかし今では高速冷凍も普及している。冷凍庫に製氷器を入れる時おそらく零していたので、霜取りを行う必要があった。しかし製氷器に蓋をすれば零れない。
【考案の開示】
【考案が解決しようとす課題】
【０００３】  本考案は製氷器の氷りとなるべき所の、立方体の部分に溝あるいは凹凸を付け、漢字・熟語・四文字熟語・平仮名・片仮名・アルファーベットに変換して氷りとなって出てくる、蓋付き文字の製氷器である。問題は漢字・熟語・四文字熟語である、しかしそれを絞りこむ手がある。普通社会に出て恥じをかかない程度の当用漢字にすればよい。アルファーベットなら二十六文字で済み、平仮名の下には片仮名とすれば多少なりと減少する。しかし問題店がもう一つある。回収方法である全製品回収出来ます、漢字検定とか漢字を覚える人間に道徳心である、業者は１個ずつ売らずに何個かまとめて売のである、それにポイント・あるいは番号を付けスーパーとか大型店舗の横に、回収ボックスを置くのであるそうすれば、何％かが安く購入出来る。
【課題を解決するための手段】
【０００４】  本考案は、家庭用製氷器に蓋を付け、製氷器本体の立方体の部分に溝あるいは凹凸を付け漢字・熟語・四文字熟語・平仮名・片仮名・アルファーベットと作り、蓋の部分に溝あるいは凹凸で振り仮名を付け、氷りとなった状態で三段階様するに上から漢字立方体振り仮名となって出てくる。蓋の部分に振り仮名を付ける事により、そして蓋の部分を平らにする事により、今迄と異なった状態で、冷凍庫に上下反対で置くことにより冷凍庫の高さが許す限り、重ねて置く事が出来る。事により問題点を解決している。
【考案の効果】
【０００５】  上述の様に、本考案の蓋付き文字製氷器は氷りは無論の事、幼児から大人までそして多少平仮名・片仮名が理解出来る外人にも、理解が出来パズルも楽しめる。
【考案の実施するための最良の形態】
【０００６】  製氷器の本体の素材は今現在使用しているプラスチック等耐久適宜素材で、三分の二は文字で、三分の一は立方体で溝あるいは凹凸で漢字・四文字熟語・二文字熟語・平仮名・片仮名・アルファーベットで作成し。蓋は柔軟性に優れた野菜とかお惣菜とか残り物を入れるプラスチックで振り仮名を、溝あるいは凹凸で作成する。
【実施例】
【０００７】  以下、添付図面に従って一実施例を説明する。１は製氷器の外枠で、２は製氷器の仕切り版で、３は上下の仕切り版で、４は氷りとなる部分で、５は文字の外側の線で、６は文字の隠れ線で、７は振り仮名となる隠れ線で、８は蓋の枠でその枠に１が隙間無く入る、９が蓋の底の面で取っ手となり、１０は製氷器と蓋との合体した隙間である。【０００８】  図１の上の部分を下にして、水を１迄入れ図８で蓋をして冷凍庫に入れる事により、冷凍庫の高さが許す限り重ねて置ける。氷りを取り出す時は、水を出しながら８と９の両サイドを持ち広げながら蓋の中心を押す事により、氷りが取り出される。【０００９】  本考案の一実施例は上述の如き構成からなるものであるから、氷りは無論の事製氷器を重ねて置く事により、多量の氷りが出来、漢字・熟語・四文字熟語・平仮名・片仮名・アルファーベット等、幼児から大人まで楽しむ事が出来る。
【図面の簡単な説明】
【００１０】
【図１】  本考案の蓋付き文字製氷器の右側画図である。
【図２】  本考案の蓋付き文字製氷器の平面図である。
【図３】  本考案の蓋付き文字製氷器の左側画図である。
【図４】  本考案の蓋付き文字製氷器の底面図である。
【図５】  本考案の蓋付き文字製氷器の正面図である。
【図６】  本考案の蓋付き文字製氷器の背面図である。
【図７】  本考案の蓋付き文字製氷器の一部切欠断面図である。
【図８】  本考案の蓋付き文字製氷器の蓋の右側画図である。
【図９】  本考案の蓋付き文字製氷器の蓋の平面図である。
【図１０】  本考案の蓋付き文字製氷器の蓋の左側画図である。
【図１１】  本考案の蓋付き文字製氷器の蓋の底面図である。
【図１２】  本考案の蓋付き文字製氷器の蓋の正面図である。
【図１３】  本考案の蓋付き文字製氷器の蓋の背面図である。
【図１４】  本考案の蓋付き文字製氷器の蓋の一部欠断面図である。
【図１５】  本考案の蓋付き文字製氷器と蓋の組合った冷凍庫にいれる状態の左側面図である。
【符号の説明】
【００１１】１      製氷器本体の外側の枠
２      製氷器本体の縦の仕切り版
３      上下の仕切り版
４      氷りとなる部分
５      文字の外側の線
６      文字となる外側の隠れ線
７      蓋の振り仮名となる隠れ線
８      蓋の枠
９      蓋の取っ手
１０    製氷器の蓋をした状態でここに水を入れ、氷りを取り出す部分
【図１】
0003153461.tif 000003
【図２】
0003153461.tif 000004
【図３】
0003153461.tif 000005
【図４】
0003153461.tif 000006
【図５】
0003153461.tif 000007
【図７】
0003153461.tif 000008
【図８】
0003153461.tif 000009
【図９】
0003153461.tif 000010
【図１０】
0003153461.tif 000011
【図１１】
0003153461.tif 000012
【図１２】
0003153461.tif 000013
【図１３】
0003153461.tif 000014
【図１４】
0003153461.tif 000015
【図１５】
0003153461.tif 000016
【手続補正書】
【提出日】平成21年3月25日(2009.3.25)
【手続補正１】
【補正対象書類名】実用新案登録請求の範囲
【補正対象項目名】全文
【補正方法】変更
【補正の内容】
【実用新案登録請求の範囲】
【請求項１】
製氷器の氷りとなる部分に、文字と成るべき輪郭と立方体と成るべき２種類の、鋳物で例える所の鋳型を創り、プラスチック等耐久適素材で熱したプラスチックをプレスして製造して、氷れば文字と立方体が出来、蓋をする事により振り仮名及び読み方が立方体の部分に組み込まれる、なお蓋の部分はプラスチック等耐久適素材で柔軟性に優れた素材で創り、冷凍庫の高さが許す限り重ねて置ける蓋付き文字製氷器。
【請求項２】
前記蓋付き文字製氷器は、上から見ると上下二段横八個そして、起死回生・一言半句・あいうえ・ＧＲＡＹとなっているが二文字熟語なら八組、四文字熟語なら四組出来るが他の漢字でも可能であり、平仮名の下には片仮名、アルファーベットの下には、読み方を特徴とする請求項１の記載とする、蓋付き文字製氷器。
【手続補正２】
【補正対象書類名】明細書
【補正対象項目名】０００３
【補正方法】変更
【補正の内容】
【０００３】  製氷器で立方体・円柱は当たり前で、家庭用の製氷器で氷りとなった部分の数あるうちの１個を取り出して、横から見ると漢字の柱が凹凸状・立方体・となっています、立方体の半分には振り仮名及び読み方がはいる様になっています。そして蓋には凸状に振り仮名及び読み方がついています。製氷器に水を入れる状態で見ると、上下二段横８列にします出来た氷りが１６個となります。それぞれの枠に文字が氷りとなるように製氷器の型枠を作ります。そして製氷器にピッタリ入るよう蓋を付けます、無論蓋には凸状の振り仮名及び読み方を、プラスチック等適宜素材の柔軟性で作ります。製氷器本体の素材はプラスチック等適宜素材で出来た強化及び耐久性で作ります。冷凍庫に重ねて置け水をこぼさず霜取り作業も無く、氷りの上部には漢字下には読み仮名となる事でにより、前述の欠点を解決している。
【手続補正３】
【補正対象書類名】明細書
【補正対象項目名】０００４
【補正方法】変更
【補正の内容】
【０００４】  製氷器本体を水を入れる状態で見ると、上下に二段横八列の長方形で、各升の正方形の内部に文字の溝あるいは凹凸で文字柱を作り、氷った氷りを一個取り、横から見ると上中下と三段になっています。上部の部分は文字の輪郭で柱状で、中部の部分は立方体で下部の部分に、振り仮名及び読み方となっています。蓋をして蓋の裏の部分に、凸状に振り仮名及び読み方となっています。今までの製氷器は蓋も無く冷凍庫に入れる時は、多少なりと水を零していたが、蓋をする事により重ねて置け霜取りもせず、出来た氷が文字となって出てくる、事により問題点を解決している。
【手続補正４】
【補正対象書類名】明細書
【補正対象項目名】０００７
【補正方法】変更
【補正の内容】
【０００７】  以下、図面に従って一実施例を説明する。１は製氷器本体の外枠で、２は製氷器の縦の仕切り版で、３は製氷器の横の仕切り版で、４は氷りとなった状態で文字となる部分で、５は文字と振り仮名及び読み方とが離れ無い為の立方体で、６は７の振り仮名及び読み方がはいる為の立方体で８は蓋の取っ手で、９は蓋の枠で、１０は製氷器と蓋との隙間で水を入れ、９を上下して出来た氷りを取り出しやすくする為の隙間である。
【手続補正５】
【補正対象書類名】明細書
【補正対象項目名】００１０
【補正方法】変更
【補正の内容】
【００１０】
【図１】    本考案の蓋付き文字製氷器本体の左側画図である。
【図２】    本校案の蓋付き文字製氷器本体の平面図である。
【図３】    本考案の蓋付き文字製氷器本体の右側画図である
【図４】    本考案の蓋付き文字製氷器本体の底面図である。
【図５】    本考案の蓋付き文字製氷器本体の正面図でＥからＦ迄である。線で枠の中が塗りつぶした状態になるので、図１６以後記載する。
【図６】    本考案の蓋付き文字製氷器本体の背面図である。
【図７】    本考案の蓋付き文字製氷器本体の一部切欠断面図である。
【図８】    本考案の蓋付き文字製氷器の蓋の左側画図である。
【図９】    本考案の蓋付き文字製氷器の蓋の平面図である。
【図１０】    本考案の蓋付き文字製氷器の蓋の右側画図である。
【図１１】    本考案の蓋付き文字製氷器の蓋の底面図である。
【図１２】    本考案の蓋付き文字製氷器の蓋の正面図でＳからＴ迄である、線で枠の中が塗りつぶした状態になるので、図２２以後記載する。
【図１３】    本考案の蓋付き文字製水器の蓋の背面図である。
【図１４】    本考案の蓋付き文字製氷器の蓋の一部欠断面図である。
【図１５】    本体と蓋の組み合った冷凍庫に入れる直前の右側画図である。
【図１６】    ＥからＦとＧがらＨを切り正面から見たＥからＦの断面図である。
【図１７】    ＧからＨとＩからＪを切り正面から見たＧからＨの断面図である。
【図１８】    ＩからＪとＫからＬを切り正面から見たＩからＪの断面図である。
【図１９】    ＫからＬとＭからＮを切り正面から見たＫからＬの断面図である。
【図２０】    ＭからＮとＯからＰを切り正面から見たＭからＮの断面図である。
【図２１】    ＯからＰとＱからＲを切り正面から見たＯからＰの断面図である。
【図２２】    ＳからＴとＵからＶを切り正面から見たＳからＴの断面図である。
【図２３】    ＵからＶとＷからＸを切り正面から見たＵからＶの断面図である。
【図２４】    ＷからＸとＹからＺを切り正面から見たＷからＸの断面図である。
【図２５】    ＹからＺと＠から＃を切り正面から見たＹからＺの断面図である。
【図２６】    ＠から＃と￥から＄を切り正面から見た＠から＃の断面図である。
【図２７】    ￥から＄とＣからＤを切り正面から見た￥から＄の断面図である。
【手続補正６】
【補正対象書類名】明細書
【補正対象項目名】００１１
【補正方法】変更
【補正の内容】
【００１１】１                              製氷器本体の外枠
２                              製氷器本体の縦の仕切り版
３                              製氷器本体の横の仕切り版
４                              氷りとなる部分
５                              氷った文字がバラバラとならない為の立方体で氷りと                                なる部分
６                              振り仮名読み方が入る立方体
７                              振り仮名や読み方となる文字の形の柱
８                              蓋の取っ手
９                              蓋の枠
１０                            蓋と製氷器との差
Ａ  Ｂ                          製氷器本体の断面図
Ｃ  Ｄ                          製氷器本体の断面図
Ｅ  Ｆ                          製氷器本体の断面図
Ｇ  Ｈ                          製氷器本体の断面図
Ｉ  Ｊ                          製氷器本体の断面図
Ｋ  Ｌ                          製氷器本体の断面図
Ｍ  Ｎ                          製氷器本体の断面図
Ｏ  Ｐ                          製氷器本体の断面図
Ｑ  Ｒ                          製氷器本体の断面図
Ｓ  Ｔ                          蓋の断面図
Ｕ  Ｖ                          蓋の断面図
Ｗ  Ｘ                          蓋の断面図
Ｙ  Ｚ                          蓋の断面図
＠  ＃                          蓋の断面図
￥  ＄                          蓋の断面図
Ｃ  Ｄ                          蓋の断面図
【手続補正７】
【補正対象書類名】図面
【補正対象項目名】全図
【補正方法】変更
【補正の内容】
【図１】
0003153461.tif 000017
【図２】
0003153461.tif 000018
【図３】
0003153461.tif 000019
【図４】
0003153461.tif 000020
【図５】
0003153461.tif 000021
【図７】
0003153461.tif 000022
【図８】
0003153461.tif 000023
【図９】
0003153461.tif 000024
【図１０】
0003153461.tif 000025
【図１１】
0003153461.tif 000026
【図１２】
0003153461.tif 000027
【図１３】
0003153461.tif 000028
【図１４】
0003153461.tif 000029
【図１５】
0003153461.tif 000030
【図１６】
0003153461.tif 000031
【図１７】
0003153461.tif 000032
【図１８】
0003153461.tif 000033
【図１９】
0003153461.tif 000034
【図２０】
0003153461.tif 000035
【図２１】
0003153461.tif 000036
【図２２】
0003153461.tif 000037
【図２３】
0003153461.tif 000038
【図２４】
0003153461.tif 000039
【図２５】
0003153461.tif 000040
【図２６】
0003153461.tif 000041
【図２７】
0003153461.tif 000042
【手続補正書】
【提出日】平成21年6月10日(2009.6.10)
【手続補正１】
【補正対象書類名】実用新案登録請求の範囲
【補正対象項目名】全文
【補正方法】変更
【補正の内容】
【実用新案登録請求の範囲】
【請求項１】
製氷器の氷りとなる部分に、文字と成るべき輪郭と立方体と成るべき２種類の、鋳型で例える所の鋳型を創り、プラスチック等耐久適素材で熱したプラスチックをプレスして製造して、氷れば文字と立方体が出来、蓋をする事により振り仮名及び読み方が立方体の部分に組み込まれる、なお蓋の部分はプラスチック等耐久適素材で柔軟性に優れた素材で創り、冷凍庫の高さが許す限り重ねて置ける蓋付き文字製氷器。
【請求項２】
前記蓋付き文字製氷器の、本体の氷りとなるべき所の蓋をする事により、漢字の下には振り仮名、平仮名の下には片仮名、アルファーベットの下には、読み方が組み込まれることを特徴とする蓋付き製氷器。